(57)【要約】【課題】ペン先前端のボールの大小を遠くからでも識別でき、しかも、ペン先前端のボールの大小を、操作体を正面から見なくても容易に識別できる多芯筆記具を提供する。【解決手段】軸筒２内に複数の筆記体５を前後方向に移動可能に収容する。各々の筆記体５の後端の操作体６を軸筒２の側壁の窓孔２２より突出させる。操作部６１を窓孔２２に沿って前方にスライドさせることにより、筆記体５のペン先５１を軸筒２の前端孔２１から出没させる。各々の筆記体５のペン先５１が、前端にボールが回転可能に抱持されたボールペンチップからなる。各々の筆記体５のペン先５１前端のボールの直径が異なる。各々の筆記体５の後端の操作体６の操作部６１の軸方向の長さがボールの直径に対応して異なり、ボールの直径が大きくなるに従い、操作部６１の軸方向の長さを大きく形成する。【選択図】  図５
2010105292.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に軸方向に延びる複数の窓孔を径方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させてなり、前記各々の筆記体のペン先が、前端にボールが回転可能に抱持されたボールペンチップからなる多芯筆記具であって、
前記各々の筆記体のペン先前端のボールの直径が異なり、前記各々の筆記体の後端の操作体の操作部の形状が、前記ボールの直径に対応して異なることを特徴とする多芯筆記具。
【請求項２】
前記操作部の頂部の厚みがボールの直径に対応して異なり、ボールの直径が大きくなるに従い、前記操作部の頂部の厚みを大きく形成した請求項１記載の多芯筆記具。
【請求項３】
前記操作部の軸方向の長さがボールの直径に対応して異なり、ボールの直径が大きくなるに従い、前記操作部の軸方向の長さを大きく形成した請求項１記載の多芯筆記具。
【請求項４】
前記操作部の頂部に突起を設け、前記突起の個数がボールの直径に対応して異なり、ボールの直径が大きくなるに従い、前記突起の個数を多く形成した請求項１記載の多芯筆記具。
【請求項５】
使用時に軸筒内に複数本が収容され、各々の後端に取り付けた操作体の操作部を軸筒の側壁の窓孔より外部に突出させ、前記操作部を前方にスライド操作することにより軸筒の前端からペン先を出没させる多芯筆記具用筆記体であって、
軸筒内に収容される前の状態において、前端にボールが回転可能に抱持されたペン先と、該ペン先が前端に固着され且つ内部にインキが収容されたインキ収容管と、該インキ収容管の後端に取り付けられ且つインキ収容管内のインキの色に着色された操作体とを備え、前記ペン先前端のボールの直径が異なる複数種の筆記体からなり、前記各々の操作体の操作部の形状が、前記ボールの直径に対応して異なることを特徴とする多芯筆記具用筆記体。
【請求項６】
前記操作部の頂部の厚みＴがボールの直径に対応して異なり、ボールの直径が大きくなるに従い、前記操作部の頂部の厚みＴを大きく形成した請求項５記載の多芯筆記具用筆記体。
【請求項７】
前記操作部の軸方向の長さＬがボールの直径に対応して異なり、ボールの直径が大きくなるに従い、前記操作部の軸方向の長さＬを大きく形成した請求項５記載の多芯筆記具用筆記体。
【請求項８】
前記操作部の頂部に突起を設け、前記突起の個数がボールの直径に対応して異なり、ボールの直径が大きくなるに従い、前記突起の個数を多く形成した請求項５記載の多芯筆記具用筆記体。
【発明の詳細な説明】
【技術分野】
【０００１】
本発明は、多芯筆記具及びそれに用いる筆記体に関する。詳細には、軸筒の側壁の窓孔から突出する操作体を前方にスライドさせることにより、軸筒内部に収容した筆記体のペン先を軸筒の前端孔から出没させる多芯筆記具及びそれに用いる筆記体に関する。
【背景技術】
【０００２】
特許文献１には、軸筒の側壁の窓孔から突出する操作体を前方にスライドさせることにより、軸筒内部に収容した筆記体のペン先を軸筒の前端孔から出没させる多芯筆記具において、操作体の外面にペン先前端の大きさを示す表示部（例えば、数字、文字、記号、図形）を設けた構成が開示されている。
【０００３】
【特許文献１】特開２００８−７３９３４号公報
【発明の開示】
【発明が解決しようとする課題】
【０００４】
前記特許文献１の多芯筆記具において、表示部が窓孔を通して視認されるため、遠くからでは表示部を視認し難いし、さらに、窓孔及び操作体を正面から見なければ表示部を確実に視認できない。
【０００５】
本発明は、前記従来の問題点を解決するものであって、ペン先前端のボールの大小を遠くからでも識別でき、しかも、ペン先前端のボールの大小を、操作体を正面から見なくても容易に識別できる多芯筆記具及び多芯筆記具用筆記体を提供しようとするものである。尚、本発明において、「前」とはペン先側を指し、「後」とはその反対側を指す。
【課題を解決するための手段】
【０００６】
[１]本願の第１の発明は、軸筒２内に複数の筆記体５を前後方向に移動可能に収容し、前記各々の筆記体５を弾発体４により後方に付勢し、前記各々の筆記体５の後端に操作体６を取り付け、前記軸筒２の側壁に軸方向に延びる複数の窓孔２２を径方向に貫設し、前記各々の窓孔２２から径方向外方に前記各々の操作体６の操作部６１を突出させ、一つの操作部６１を窓孔２２に沿って前方にスライドさせることにより、その一つの操作体６が取り付けられた筆記体５のペン先５１を軸筒２の前端孔２１から突出させるとともに、先に突出状態にあった他の筆記体５のペン先５１を軸筒２内に没入させてなり、前記各々の筆記体５のペン先５１が、前端にボールが回転可能に抱持されたボールペンチップからなる多芯筆記具であって、前記各々の筆記体５のペン先５１前端のボールの直径が異なり、前記各々の筆記体５の後端の操作体６の操作部６１の形状が、前記ボールの直径に対応して異なることを要件とする。
【０００７】
前記第１の発明の多芯筆記具１は、操作部６１の形状を視認することにより、ペン先５１前端のボールの大小を遠くからでも識別でき、しかも、ペン先５１前端のボールの大小を、操作体６を正面から見なくても容易に識別できる。
【０００８】
［２］本願の第２の発明は、前記第１の発明の多芯筆記具１において、前記操作部６１の頂部の厚みＴ１，Ｔ２，Ｔ３がボールの直径に対応して異なり、ボールの直径が大きくなるに従い、前記操作部６１の頂部の厚みを大きく形成したことを要件とする。
【０００９】
前記第２の発明の多芯筆記具１は、ボールの直径の大小を確実に識別できる。
【００１０】
［３］本願の第３の発明は、前記第１の発明の多芯筆記具１において、前記操作部６１の軸方向の長さＬ１，Ｌ２，Ｌ３がボールの直径に対応して異なり、ボールの直径が大きくなるに従い、前記操作部６１の軸方向の長さを大きく形成したことを要件とする。
【００１１】
前記第３の発明の多芯筆記具１は、ボールの直径の大小を確実に識別できる。
【００１２】
［４］本願の第４の発明は、前記第１の発明の多芯筆記具１において、前記操作部６１の頂部に突起を設け、前記突起の個数がボールの直径に対応して異なり、ボールの直径が大きくなるに従い、前記突起の個数を多く形成したことを要件とする。
【００１３】
前記第４の発明の多芯筆記具１は、ボールの直径の大小を確実に識別できる。
【００１４】
［５］本願の第５の発明は、使用時に軸筒２内に複数本が収容され、各々の後端に取り付けた操作体６の操作部６１を軸筒２の側壁の窓孔２２より外部に突出させ、前記操作部６１を前方にスライド操作することにより軸筒２の前端からペン先５１を出没させる多芯筆記具用筆記体であって、軸筒２内に収容される前の状態において、前端にボールが回転可能に抱持されたペン先５１と、該ペン先５１が前端に固着され且つ内部にインキが収容されたインキ収容管５２と、該インキ収容管５２の後端に取り付けられ且つインキ収容管５２内のインキの色に着色された操作体６とを備え、前記ペン先５１前端のボールの直径が異なる複数種の筆記体５からなり、前記各々の操作体６の操作部６１の形状が、前記ボールの直径に対応して異なることを要件とする。
【００１５】
前記第５の発明の多芯筆記具用筆記体５は、ペン先５１前端のボールの直径が異なる複数種を有する場合、操作部６１の形状を視認することにより、ペン先５１前端のボールの大小を遠くからでも識別でき、しかも、ペン先５１前端のボールの大小を、操作体６を正面から見なくても容易に識別できる。
【００１６】
［６］本願の第６の発明は、前記第５の発明の多芯筆記具用筆記体５において、前記操作部６１の頂部の厚みＴ１，Ｔ２，Ｔ３がボールの直径に対応して異なり、ボールの直径が大きくなるに従い、前記操作部６１の頂部の厚みを大きく形成したことを要件とする。
【００１７】
前記第６の発明の多芯筆記具用筆記体５は、ボールの直径の大小を確実に識別できる。
【００１８】
［７］本願の第７の発明は、前記第５の発明の多芯筆記具用筆記体５において、前記操作部６１の軸方向の長さＬ１，Ｌ２，Ｌ３がボールの直径に対応して異なり、ボールの直径が大きくなるに従い、前記操作部６１の軸方向の長さを大きく形成したことを要件とする。
【００１９】
前記第７の発明の多芯筆記具用筆記体５は、ボールの直径の大小を確実に識別できる。
【００２０】
［８］本願の第８の発明は、前記第５の発明の多芯筆記具用筆記体５において、前記操作部６１の頂部に突起を設け、前記突起の個数がボールの直径に対応して異なり、ボールの直径が大きくなるに従い、前記突起の個数を多く形成したことを要件とする。
【００２１】
前記第８の発明の多芯筆記具用筆記体５は、ボールの直径の大小を確実に識別できる。
【発明の効果】
【００２２】
本発明の多芯筆記具は、操作部の形状を視認することにより、ペン先前端のボールの大小を遠くからでも識別でき、しかも、ペン先前端のボールの大小を、操作体を正面から見なくても容易に識別できる。
【００２３】
本発明の多芯筆記具用筆記体は、操作部の形状を視認することにより、ペン先前端のボールの大小を遠くからでも識別でき、しかも、ペン先前端のボールの大小を、操作体を正面から見なくても容易に識別できる。
【発明を実施するための最良の形態】
【００２４】
＜第１の実施の形態＞
図１乃至図４に、本発明の多芯筆記具１及びそれに用いる筆記体５（多芯筆記具用筆記体）の第１の実施の形態を示す。
【００２５】
本実施の形態の多芯筆記具１は、軸筒２内に複数本（具体的には２本）の筆記体５が前後方向に移動可能に収容されている。前記各々の筆記体５は、弾発体４（具体的には圧縮コイルスプリング）により、後方に付勢されている。
【００２６】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体５のペン先５１が突出可能な前端孔２１が軸方向に貫設される。前記前軸２ａ及び後軸２ｂは、合成樹脂（例えば、ポリカーボネイト等）の射出成形により得られる。
【００２７】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体６が取り付けられた状態の筆記体５を、軸筒２内に挿入可能且つ軸筒２内から取り出し可能に構成される。
【００２８】
また、前記後軸２ｂの窓孔２２の相互間の側壁内面には、前後方向に延びるリブよりなる係止壁部（図示せず）が形成され、前記係止壁部に、ペン先５１が突出した際の筆記体５の操作体６の後端が係止される。また、前記後軸２ｂの窓孔２２の相互間の側壁外面には、クリップ２５が設けられる。
【００２９】
（蓋部）
前記後軸２ｂの後端部には、前記開口部２３を開閉自在にする蓋部３が回動自在に設けられる。前記蓋部３の一端部は、クリップ２５基部に、ヒンジ部３１により回動自在に接続される。前記蓋部３は、略前後方向に回動自在となる。前記蓋部３の前面には、当接壁部３２が形成される。前記当接壁部３２に、没入状態の筆記体５の後端に連結された各々の操作体６の後端が、当接される。
【００３０】
前記蓋部３の他端部の前面には、凹部または孔部よりなる係合部３３が設けられる。後軸２ｂの後端には、前記係合部３３と係合可能な突部よりなる被係合部２４が設けられる。前記係合部３３の内面には、内向突起が形成され、一方、前記被係合部２４の外面には、前記内向突起と乗り越え係止可能な外向突起が形成される。
【００３１】
（筆記体）
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。前記インキ収容管５２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００３２】
また、前記水性ゲルインキ、低粘度の水性インキ、低粘度の油性インキをインキ収容管５２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管５２の前端開口部に圧入等により直接、取り付けてもよいが、本実施の形態ではペン先ホルダーを介してインキ収容管５２の前端開口部に固着される。
【００３３】
（操作体）
前記各々の筆記体５の後端（即ちインキ収容管５２の後端開口部）には、操作体６が取り付けられる。前記各々の操作体６は、後端部に形成され且つ軸筒２の窓孔２２から外部に突出する操作部６１と、該操作部６１の反対側に設けられる後側突出部６３と、該操作部６１の反対側の後側突出部６３の前方に設けられる前側突出部６２と、前端部に形成され且つインキ収容管５２の後端開口部に嵌入される嵌入部６４と、該嵌入部６４の後方に形成される鍔部６５とを備える。また、前記鍔部６５の前面には、弾発体４の後端が係止される。また、前記操作体６の両方の側面には抜け止め突起６６が形成される。前記抜け止め突起６６は窓孔２２の両方の側壁内面に係合可能である。
【００３４】
筆記体５のペン先５１が没入状態のとき、その筆記体５に取り付けられた操作体６の後端部は、蓋部３の前面に形成された当接壁部３２に当接される。一方、筆記体５のペン先５１が突出状態のとき、その筆記体５に取り付けられた操作体６の後端部は、軸筒２の内壁に形成された係止壁部に係止される。
【００３５】
ペン先没入状態にある筆記体５の後端に連結された操作体６の前側突出部６２は、その操作体６の操作部６１を前方にスライド操作した際、先にペン先突出状態にある他の筆記体５の後端に連結された操作体６の後側突出部６３と当接され、他の筆記体５のペン先突出状態が解除される。
【００３６】
前記各々の操作体６は、連結される筆記体５の内部（即ちインキ収容管５２内部）に収容されたインキの色と略同じ色に着色される。具体的には、前記操作体６の各々は、連結される筆記体５のインキ色と略同じ色に着色された合成樹脂の成形体からなる。
【００３７】
（操作部）
本実施の形態では、ペン先５１前端のボールの直径の異なる３種類の筆記体５（具体的には、ペン先５１前端のボールの直径が０．５ｍｍ、０．４ｍｍ、０．３ｍｍの３種類の筆記体５）が用意され、軸筒２内に好みの２本の筆記体５が選択して収容される。
【００３８】
前記各々の操作体６の操作部６１の頂部の厚みＴ１，Ｔ２，Ｔ３は、ボールの直径に対応して異なり、ボールの直径が大きくなるに従い、前記操作部６１の頂部の厚みが大きく形成される。
【００３９】
具体的には、図３及び図４に示すように、ペン先５１前端のボールの直径が０．５ｍｍの筆記体５の場合、操作体６の操作部６１の頂部の厚みはＴ１に設定され、ペン先５１前端のボールの直径が０．４ｍｍの筆記体５の場合、操作体６の操作部６１の頂部の厚みはＴ２に設定され、ペン先５１前端のボールの直径が０．３ｍｍの筆記体５の場合、操作体６の操作部６１の頂部の厚みはＴ３に設定される。前記厚みＴ１は厚みＴ２より大きく、前記厚みＴ２は厚みＴ３より大きい。即ち、Ｔ１＞Ｔ２＞Ｔ３の関係を有する。
【００４０】
（本実施の形態の作用）
本実施の形態の多芯筆記具１及び多芯筆記具用筆記体５は、操作部６１の形状を視認することにより、ペン先５１前端のボールの大小を遠くからでも確実に識別でき、しかも、ペン先５１前端のボールの大小を、操作体６を正面から見なくても確実に識別できる。
【００４１】
＜第２の実施の形態＞
図５及び図６に本発明の第２の実施の形態を示す。
第２の実施の形態は、第１の実施の形態と異なる点が、操作部６１の形状のみであり、それ以外の構成及び作用効果は第１の実施の形態と共通であるため、説明を省略する。
【００４２】
前記各々の操作部６１の軸方向の長さＬ１，Ｌ２，Ｌ３は、ボールの直径に対応して異なり、ボールの直径が大きくなるに従い、前記操作部６１の軸方向の長さが大きく形成される。具体的には、図６に示すように、ペン先５１前端のボールの直径が０．５ｍｍの筆記体５の場合、操作体６の操作部６１の軸方向の長さはＬ１に設定され、ペン先５１前端のボールの直径が０．４ｍｍの筆記体５の場合、操作体６の操作部６１の軸方向の長さはＬ２に設定され、ペン先５１前端のボールの直径が０．３ｍｍの筆記体５の場合、操作体６の操作部６１の軸方向の長さはＬ３に設定される。前記軸方向の長さＬ１は軸方向の長さＬ２より大きく、前記方向の長さＬ２は軸方向の長さＬ３より大きい。即ち、Ｌ１＞Ｌ２＞Ｌ３の関係を有する。
【００４３】
図５において、軸筒２内には、ペン先５１前端のボールの直径が０．５ｍｍの筆記体５と、ペン先５１前端のボールの直径が０．４ｍｍの筆記体５とが収容されている。
【００４４】
（本実施の形態の作用）
本実施の形態の多芯筆記具１及び多芯筆記具用筆記体５は、操作部６１の形状を視認することにより、ペン先５１前端のボールの大小を遠くからでも確実に識別でき、しかも、ペン先５１前端のボールの大小を、操作体６を正面から見なくても確実に識別できる。
【００４５】
＜第３の実施の形態＞
図７及び図８に本発明の第２の実施の形態を示す。
第３の実施の形態は、第１の実施の形態と異なる点が、操作部６１の形状のみであり、それ以外の構成及び作用効果は第１の実施の形態と共通であるため、説明を省略する。
【００４６】
前記各々の操作部６１の頂部に突起を設け、前記突起の個数が、ボールの直径に対応して異なり、ボールの直径が大きくなるに従い、前記突起の個数が多く形成される。
【００４７】
具体的には、図８に示すように、ペン先５１前端のボールの直径が０．５ｍｍの筆記体５の場合、操作体６の操作部６１の突起の個数は５個に設定され、ペン先５１前端のボールの直径が０．４ｍｍの筆記体５の場合、操作体６の操作部６１の突起の個数は４個に設定され、ペン先５１前端のボールの直径が０．３ｍｍの筆記体５の場合、操作体６の操作部６１の突起の個数は３個に設定される。
【００４８】
図７において、軸筒２内には、ペン先５１前端のボールの直径が０．５ｍｍの筆記体５と、ペン先５１前端のボールの直径が０．４ｍｍの筆記体５とが収容されている。
【００４９】
（本実施の形態の作用）
本実施の形態の多芯筆記具１及び多芯筆記具用筆記体５は、操作部６１の形状を視認することにより、ペン先５１前端のボールの大小を遠くからでも確実に識別でき、しかも、ペン先５１前端のボールの大小を、操作体６を正面から見なくても確実に識別できる。
【図面の簡単な説明】
【００５０】
【図１】本発明の第１の実施の形態の縦断面図である。
【図２】図１の開口部の開口状態を示す正面図である。
【図３】図１の筆記体の側面図である。
【図４】図３のＡ−Ａ線断面図であり、（１）はボールの直径が０．５ｍｍのペン先を備えた筆記体の操作部、（２）はボールの直径が０．４ｍｍのペン先を備えた筆記体の操作部、（３）はボールの直径が０．３ｍｍのペン先を備えた筆記体の操作部である。
【図５】本発明の第２の実施の形態の縦断面図である。
【図６】図５の筆記体の側面図であり、（１）はボールの直径が０．５ｍｍのペン先を備えた筆記体、（２）はボールの直径が０．４ｍｍのペン先を備えた筆記体、（３）はボールの直径が０．３ｍｍのペン先を備えた筆記体である。
【図７】本発明の第３の実施の形態の縦断面図である。
【図８】図７の筆記体の側面図であり、（１）はボールの直径が０．５ｍｍのペン先を備えた筆記体、（２）はボールの直径が０．４ｍｍのペン先を備えた筆記体、（３）はボールの直径が０．３ｍｍのペン先を備えた筆記体である。
【符号の説明】
【００５１】
１  多芯筆記具
２  軸筒
２１  前端孔
２２  窓孔
２３  開口部
２４  被係合部
２５  クリップ
２ａ  前軸
２ｂ  後軸
３  蓋部
３１  ヒンジ部
３２  当接壁部
３３  係合部
４  弾発体
５  筆記体
５１  ペン先
５２  インキ収容管
６  操作体
６１  操作部
６２  前側突出部
６３  後側突出部
６４  嵌入部
６５  鍔部
６６  抜け止め突起
【図１】
2010105292.tif 000003
【図２】
2010105292.tif 000004
【図３】
2010105292.tif 000005
【図４】
2010105292.tif 000006
【図５】
2010105292.tif 000007
【図６】
2010105292.tif 000008
【図７】
2010105292.tif 000009
【図８】
2010105292.tif 000010